(57)【要約】【課題】  従来、ＵＶ硬化性塗料用塗装ブースでは、大量に余剰の霧状の塗料ミストが発生しており、頻繁に洗浄する等の処理を必要としており、その処理は人力による多大な手間暇と労働力を要していた。【解決手段】  塗装ブース１に設けた給気手段３と、下方邪魔板５に側面７ａを密着させ上方気流制御板４との間に通気路６を設けると共にミスト含有排気が流通するように配設した塗料ミスト捕集手段７と、塗料ミスト捕集手段設けた排気手段８と、排気手段と並設させた循環手段９と、循環手段と排気手段とを連通させた排気ガス分配室１０と、排気ガス分配室に連通させた中心循環筒１１と、中心循環筒の外側に配設した塗料ミストセパレーター１２と、塗料ミストセパレーターに溶剤を噴霧する溶剤スプレーノズル１３と、塗料ミスト捕集手段７の下方に配設した塗料ミスト収集手段１４と、を備えた。【選択図】  図２
2006102731.tif 000002
【特許請求の範囲】
【請求項１】
床面に立設した塗装台の上面に取着された被塗装物に塗装ガンでＵＶ硬化性塗料を噴霧して塗装をする塗装ブースにおいて、前記塗装ブースの天井に設けた外気を取り入れ送風するための給気手段と、該給気手段の近傍の天井に垂設させた若干巾の上方気流制御板と、該上方気流制御板の下辺との間に間隔を有して敷設された下方邪魔板と、該下方邪魔板の端辺に側面を密着させ前記上方気流制御板との間に通気路を設けると共に上方から下方にミスト含有排気が流通するように配設した塗料ミスト捕集手段と、該塗料ミスト捕集手段の上方中央に設けた排気手段と、該排気手段と並設させた循環ダクトを塗料ミスト捕集手段の上方に接続させた循環手段と、該循環手段と前記排気手段とを連通させた排気ガス分配室と、該排気ガス分配室に上方を連通させて前記塗料ミスト捕集手段の中心に下方を開口させて設けた中心循環筒と、該中心循環筒の外側に多段に配設した多数の充填物を充填した屋根状の塗料ミストセパレーターと、該塗料ミストセパレーターに付着した塗料ミストに溶剤を噴霧する複数の溶剤スプレーノズルと、前記塗料ミスト捕集手段の下方に配設した塗料ミスト収集手段と、を備えたことを特徴とするＵＶ硬化性塗料用塗装ブース。
【発明の詳細な説明】
【技術分野】
【０００１】  本発明はＵＶ硬化性塗料用塗装ブースに関するものであり、更に詳細には、被塗装物を塗装台に取着して塗装ガンでＵＶ硬化性塗料を噴霧して塗装をする際に多量に発生する塗料ミストを捕集して纏めて処理すると共に、浄化された空気を放出するためのＵＶ硬化性塗料用塗装ブースに関するものである。
【背景技術】
【０００２】  従来、この種の塗装ガンを用いてＵＶ硬化性塗料を噴霧させて塗装するＵＶ硬化性塗料用塗装ブースでは、被塗装物及び周辺に広範囲にＵＶ硬化性塗料を噴霧させて塗装するため大量に余剰の霧状の塗料ミストが発生しており、頻繁に洗浄する等の処理を必要としており、その処理は人力による多大な手間暇と労働力を要していた。【０００３】  つまり、塗装ガンで噴霧され霧化されたＵＶ硬化性塗料の２０〜３０％が有効に使用され、後はミスト処理装置によって処理されているものであり、例えば、スプレーブースとその垂直面の下部に設けられた水槽とよりなり、一定間隔ごとに多数の細孔を設けた部分を有する合成樹脂フィルムをスプレーブースの金属垂直面亘ってはりつけそのフィルムの下部は水槽中に延びて水槽の端部に取付けられ、フィルムの細孔がない部分がスプレーブースの金属垂直部分を覆いかつ有孔部分が水中に浸漬する様にフィルムを装着し、スプレーブースの上部にあるノズルにより水をフィルム面に沿って滴下させるもの（特許文献１参照）や、塗装ブースの塗料ミストを処理する処理塔に排気ファンの騒音を吸音・遮音する吸音材を付設するもので、塗装ブースの処理塔の内部壁面に吸音材を付設、あるいは排気ファンの吸引口であるファン穴に内面に吸音材を付設した筒を配設し、さらには吸音材を付設した遮音板をファン穴の下に配設するもの（特許文献２参照）等が開示されている。
【特許文献１】実告昭４７−３５２６２号公報
【特許文献２】特開２００１−２３９１９４号公報
【発明の開示】
【発明が解決しようとする課題】
【０００４】  然し乍ら、スプレーブースとその垂直面の下部に設けられた水槽とよりなり、一定間隔ごとに多数の細孔を設けた部分を有する合成樹脂フィルムをスプレーブースの金属垂直面亘ってはりつけそのフィルムの下部は水槽中に延びて水槽の端部に取付けられ、フィルムの細孔がない部分がスプレーブースの金属垂直部分を覆いかつ有孔部分が水中に浸漬する様にフィルムを装着し、スプレーブースの上部にあるノズルにより水をフィルム面に沿って滴下させるものは、ウオーター方式と呼ばれるものであり、捕集された塗料ミストは水と混ざり合い餅状に成って壁面や水槽に付着してしまい、この餅状の塗料ミストは大量に水分を含んでいるため、体積が塗料の５〜１０倍になり、水の流れを悪くしたり、捕集効率を下げるため頻繁に清掃が必要となり、この清掃が重労働で汚れる作業となるため厄介な業務と成っていた。【０００５】  また、塗装ブースの塗料ミストを処理する処理塔に排気ファンの騒音を吸音・遮音する吸音材を付設するもので、塗装ブースの処理塔の内部壁面に吸音材を付設、あるいは排気ファンの吸引口であるファン穴に内面に吸音材を付設した筒を配設し、さらには吸音材を付設した遮音板をファン穴の下に配設するものは、ドライブース方式と称され、塗料ミスト捕集部材に捕集された塗料ミストは目詰まりを起こすために頻繁に清掃する必要があり、前述と同様な課題を有しているものである。
【課題を解決するための手段】
【０００６】  前述の課題に鑑み、鋭意研鑽の結果、本発明のＵＶ硬化性塗料用塗装ブースは、床面に立設した塗装台に取着された被塗装物に塗装ガンでＵＶ硬化性塗料を噴霧して塗装をする塗装ブースにおいて、塗装ブースの天井に設けた給気手段と、給気手段の近傍に垂設させた上方気流制御板と、上方気流制御板との間に間隔を有して敷設された下方邪魔板と、下方邪魔板と側面を密着させ上方気流制御板との間に通気路を設けると共にミスト含有排気が流通するように配設した塗料ミスト捕集手段と、塗料ミスト捕集手段に設けた排気手段と、排気手段と並設させた循環ダクトを塗料ミスト捕集手段の上方に接続させた循環手段と、循環手段と排気手段とを連通させた排気ガス分配室と、排気ガス分配室に連通させて塗料ミスト捕集手段に下方を開口させて設けた中心循環筒と、中心循環筒の外側に多段に配設した多数の充填物を充填した塗料ミストセパレーターと、塗料ミストセパレーターに付着した塗料ミストに溶剤を噴霧する溶剤スプレーノズルと、塗料ミスト捕集手段の下方に配設した塗料ミスト収集手段と、を備えたものである。
【発明の効果】
【０００７】  本発明のＵＶ硬化性塗料用塗装ブースは、通気路を設けると共に、塗料ミスト捕集手段に排気手段と、排気手段と並設させた循環ダクトを塗料ミスト捕集手段の上方に接続させた循環手段と、循環手段と排気手段とを連通させた排気ガス分配室と、排気ガス分配室に連通させて塗料ミスト捕集手段に下方を開口させて設けた中心循環筒と、中心循環筒の外側に多段に配設した多数の充填物を充填した屋根状の塗料ミストセパレーターと、塗料ミストセパレーターに付着した塗料ミストに溶剤を噴霧する溶剤スプレーノズルと、塗料ミスト捕集手段の下方に配設した塗料ミスト収集手段とを備えたため、排気ガスに含有する塗料ミストは循環手段に循環されて塗料ミストセパレーターにより再度分離され塗料ミスト収集手段に高効率で収集されるもので、塗料ミスト収集手段に収集された塗料ミストを処理するのみで、メンテナンスフリーと成り重労働から解放されるものであり、極めて実用性の高い発明である。
【発明を実施するための最良の形態】
【０００８】  本発明はＵＶ硬化性塗料用塗装ブースに関するものであり、更に詳細には、被塗装物を塗装台に取着して塗装ガンでＵＶ硬化性塗料を噴霧して塗装をする際に多量に発生する塗料ミストを捕集して纏めて処理すると共に、浄化された空気を放出するためのＵＶ硬化性塗料用塗装ブースに関するものであり、床面１ａに立設した塗装台２の上面に取着された被塗装物Ａに塗装ガンＢでＵＶ硬化性塗料を噴霧して塗装をする塗装ブース１において、前記塗装ブース１の天井に設けた外気を取り入れ送風するための給気手段３と、該給気手段３の近傍の天井に垂設させた若干巾の上方気流制御板４と、該上方気流制御板４の下辺との間に間隔を有して敷設された下方邪魔板５と、該下方邪魔板５の端辺に側面７ａを密着させ前記上方気流制御板４との間に通気路６を設けると共に上方から下方にミスト含有排気が流通するように配設した塗料ミスト捕集手段７と、該塗料ミスト捕集手段７の上方中央に設けた排気手段８と、該排気手段８と並設させた循環ダクト９ａを塗料ミスト捕集手段７の上方に接続させた循環手段９と、該循環手段９と前記排気手段８とを連通させた排気ガス分配室１０と、該排気ガス分配室１０に上方を連通させて前記塗料ミスト捕集手段７の中心に下方を開口させて設けた中心循環筒１１と、該中心循環筒１１の外側に多段に配設した多数の充填物を充填した屋根状の塗料ミストセパレーター１２と、該塗料ミストセパレーター１２に付着した塗料ミストの溶剤を噴霧する複数の溶剤スプレーノズル１３と、前記塗料ミスト捕集手段７の下方に配設した塗料ミスト収集手段１４と、を備えたものである。
【実施例】
【０００９】  以下、本発明のＵＶ硬化性塗料用塗装ブースの実施例の図面を用いて詳細に説明すると、図１は本発明のＵＶ硬化性塗料用塗装ブースの実施例の概要を説明するための正面説明図であり、図２は本発明のＵＶ硬化性塗料用塗装ブースの実施例の概要を説明するための側面説明図であり、図３は本発明のＵＶ硬化性塗料用塗装ブースの実施例の概要を説明するための平面説明図である。【００１０】  即ち、本発明のＵＶ硬化性塗料用塗装ブースは、図１乃至図３に図示する如く、函状のケーシングに囲まれた塗装ブース１であり、床面１ａから回転可能に立設した塗装台２に取着された、例えば、モバイル機器、化粧品容器、電化製品や自動車等のパーツ等の複数の被塗装物Ａに塗装ガンＢでＡＢＳ樹脂等のＵＶ硬化性塗料を噴霧して、アンダーコートやトップコート等の塗装をするものである。【００１１】  そして、給気手段３は塗装ブース１の天井に設けられ送風チャンバー３ａと、該送風チャンバー３ａの上方に設けられた送風機３ｂとから成り、送風機３ｂは外気を取り入れ送風チャンバー３ａから下方に外気を送風させるものであり、下方に位置する塗装台２では被塗装物Ａが塗装ガンＢでＵＶ硬化性塗料を噴霧され塗装されており、余剰の塗料ミストは送風チャンバー３ａからの外気と混和して後述する通気路６に送風されるものである。【００１２】  次に、上方気流制御板４は給気手段３の近傍の天井から下方に垂下させているもので、上方辺は天井に密着させ下方辺の下方には後述する敷設された下方邪魔板５との間に間隔を有している若干巾のもので、後述する通気路６を形成するものである。【００１３】  次いで、下方邪魔板５は床面１ａに平行に間隔を有して敷設されているもので、被塗装物Ａを取着した塗装台２の下辺りに敷設され、下方には後述する塗料ミスト収集手段１２と同様な塗料ミスト収集手段１２を設けており、下方邪魔板５に付着した塗料ミストは塗料ミスト収集手段１２に収集されるものである。【００１４】  更に、塗料ミスト捕集手段７は下方邪魔板５の端辺と側面７ａとを密着させているもので、該側面７ａと下方邪魔板５と上方気流制御板４との間で通気路６を設けるように配設されると共に、該通気路６を通過する給気手段３からの外気と塗装ガンＢから噴霧された塗料ミストが混和したミスト含有排気が後述する排気手段８の吸引により、下方から上方に塗料ミスト捕集手段７の側面７ａと上方気流制御板４の間を流通するように配設しているものである。【００１５】  更には、排気手段８は塗料ミスト捕集手段７の上方中央に設けた排気ファンであり、後述する循環手段９を並設すると共に、後述する中心循環筒１１から流入する排気を排気ガス分配室１０に流入させ、排気ガス分配室１０に流入した排気の一部を外に放出するものである。【００１６】  そして、循環手段９は後述する中心循環筒１１から流入する排気を排気ガス分配室１０に流入させ、排気ガス分配室１０に流入した排気の一部をもう一度循環させるもので、排気ガス分配室１０と塗料ミスト捕集手段７の上方とを接続させた循環ダクト９ａを設けているものである。【００１７】  次に、排気ガス分配室１０は後述する中心循環筒１１から排気が送られてくるもので、循環手段９と排気手段８とに分配させるものであり、その配分は適宜なものであるが、６０〜８０％を循環させることが望ましいものである。【００１８】  次いで、中心循環筒１１は上方を排気ガス分配室１０と連通させると共に、中心循環筒１１の下方を開口させて塗料ミスト捕集手段７の中心に貫設させているもので、後述する塗料ミストセパレーター１２でミスト含有排気の塗料ミストを分離させた後の排気が下方から流入して、排気ガス分配室１０に流出させるものである。【００１９】  更に、塗料ミストセパレーター１２は塗料ミスト捕集手段７の中心に設けた中心循環筒１１の外側に３乃至６段程度の多段に配設しているもので、屋根状に形成し内部には通気可能に且つ塗料ミストを付着させるように多数の賽の目状の充填物を充填しているもので、ミスト含有排気を通過させることで塗料ミストを充填物に付着させて分離するものである。【００２０】  更には、溶剤スプレーノズル１３は溶剤を塗料ミストセパレーター１２に噴霧するように複数配設しているもので、供給源（図示しない）から供給ホース等により溶剤が供給され充填物に付着した塗料ミストを溶解させるものである。【００２１】  そして、塗料ミスト収集手段１４は塗料ミスト捕集手段７の下方に配設され、塗料ミストセパレーター１２により分離され溶剤スプレーノズル１３により溶剤を噴霧され、溶解した塗料ミストの滴下を受け止める漏斗状の受け皿１４ａと、該受け皿１４ａからの塗料ミストを貯留する塗料ミスト収集容器１４ｂから成るものである。【００２２】  つまり、本発明のＵＶ硬化性塗料用塗装ブースは、塗装ブース１に内装された塗装台２に取着された被塗装物ＡにＵＶ硬化性塗料を塗装ガンＢで噴霧すると、大半のＵＶ硬化性塗料は塗料ミストと成り空間に放出されるものであるが、塗装ブース１の天井に設けた給気手段３により外気が送風されミスト含有排気と成るものである。【００２３】  次いで、ミスト含有排気は下方邪魔板５と塗料ミスト捕集手段７の側面７ａと上方気流制御板４との間に形成された通気路６を通り、塗料ミスト捕集手段７の上方に送られるものである。【００２４】  次に、塗料ミスト捕集手段７の上方に送られたミスト含有排気は下方に多段に配設された塗料ミストセパレーター１２を通過するもので、塗料ミストセパレーター１２で濾過され、塗料ミストは塗料ミストセパレーター１２の多数の充填物に付着し、排気は排気手段８と循環手段９で吸引され、中心循環筒１１を通り排気ガス分配室１０に送気され、一部は排気手段８で雰囲気中に放出され、残りは循環手段９の循環ダクト９ａを経由して再び塗料ミスト捕集手段７に送られるものである。【００２５】  一方、塗料ミストセパレーター１２の充填物に付着した塗料ミストは溶剤スプレーノズル１３で噴霧される溶剤により溶解して塗料ミスト収集手段１４の受け皿１４ａに滴下し、受け皿１４ａから塗料ミスト収集容器１４ｂに貯留されもので、適宜、塗料ミスト収集容器１４ｂを取り出して処理するものである。
【産業上の利用可能性】
【００２６】  本発明のＵＶ硬化性塗料用塗装ブースの塗料ミストは塗料ミストセパレーターにより分離され塗料ミスト収集手段に収集されるもので、塗料ミスト収集手段に収集された塗料ミストを処理するのみで、メンテナンスフリーと成るものである。
【図面の簡単な説明】
【００２７】
【図１】  図１は本発明のＵＶ硬化性塗料用塗装ブースの実施例の概要を説明するための正面説明図である。
【図２】  図２は本発明のＵＶ硬化性塗料用塗装ブースの実施例の概要を説明するための側面説明図である。
【図３】  図３は本発明のＵＶ硬化性塗料用塗装ブースの実施例の概要を説明するための平面説明図である。
【符号の説明】
【００２８】  Ａ      被塗装物
Ｂ      塗装ガン
１      塗装ブース
１ａ    床面
２      塗装台
３      給気手段
３ａ    送風チャンバー
３ｂ    送風機
４      上方気流制御板
５      下方邪魔板
６      通気路
７      塗料ミスト捕集手段
７ａ    側面
８      排気手段
９      循環手段
９ａ    循環ダクト
１０    排気ガス分配室
１１    中心循環筒
１２    塗料ミストセパレーター
１３    溶剤スプレーノズル
１４    塗料ミスト収集手段
１４ａ  受け皿
１４ｂ  塗料ミスト収集容器
【図１】
2006102731.tif 000003
【図２】
2006102731.tif 000004
【図３】
2006102731.tif 000005